(57)【特許請求の範囲】
【請求項１】
複数の自動券売機と、これらの自動券売機と通信回線を介して接続され、各自動券売機のデータを収集するデータ集計機とを有するデータ集計システムにおいて、
上記データ集計機が、
操作表示部にて自動券売機の発売額回収締切指示を選択する第１の選択手段と、
制御部により各自動券売機に対して発売額回収締切指示を送信する第１の送信手段と、
この第１の送信手段による送信に応答して各自動券売機から供給される回収金額と予め記憶されている総売上金額とを比較する比較手段と、
この比較手段による比較の結果、回収金額が不足している場合に、調整用の自動券売機に対して不足金額の追加回収の指示を送信する第２の送信手段と、
この第２の送信手段の送信に応答して追加回収処理を終了する第１の終了手段と、
上記比較手段による比較の結果、回収金額が多かった場合に、調整用の自動券売機に対して余分な回収金額の補給の指示を送信する第３の送信手段と、
この第３の送信手段の送信に応答して補給処理を終了する第２の終了手段と、
を有し、
上記各自動券売機が、
上記データ集計機からの発売額回収締切指示により発売額回収締切処理を実行する第１の実行手段と、
この第１の実行手段により実行された発売額回収締切処理による回収金額を上記データ集計機へ送信する第4の送信手段とを有し、
上記調整用の自動券売機が、
上記データ集計機からの不足金額の追加回収の指示により、追加回収する金額の払出しを実行する第２の実行手段と、
この第２の実行手段により実行された不足金額の払出し金額を上記データ集計機へ送信する第5の送信手段と、
上記データ集計機からの余分な回収金額の補給の指示により、補給金額の現金の投入により、補給を実行する第３の実行手段と、
この第３の実行手段により実行された補給金額を上記データ集計機へ送信する第6の送信手段とを有する、
ことを特徴とするデータ集計システム。
【発明の詳細な説明】
【０００１】
【発明の属する技術分野】
この発明は、自動券売機、定期券発行機、自動改札機等の駅務機器からのデータを収集するデータ集計システムに関する。
【０００２】
【従来の技術】
従来、複数の自動券売機、複数の定期券発行機、複数の自動改札機といった駅務機器と、これらの駅務機器のデータを集計するデータ集計機からなる駅務機器のデータ集計システムが実用化されている。
【０００３】
しかし、このような駅務機器のデータ集計システムでは、自動券売機の現金管理方法として締切処理が行なわれている。
【０００４】
この締切処理としては、全額回収締切と発売額回収締切の２つのものが有り、全額回収締切はたとえば１０日、２０日、月末日に行い、自動券売機での準備金（釣札、釣銭）、現金発売額を含め全て回収する処理であり、発売額回収締切はたとえば１０日、２０日、月末日以外の日に行い、自動券売機での現金発売額だけ回収する処理である。
【０００５】
これにより、普段は発売額回収締切を行い現金発売額だけを回収し、１０日に一度全額回収締切を行い全ての現金を一旦回収するものである。
【０００６】
このようなシステムでは、発売額回収締切を行う際に、現金発売額（売上金額）と現金の回収金額とが一致していないものとなっている。
【０００７】
これにより、複数の自動券売機からのデータを収集するものにおいて、複数の自動券売機に対する発売額回収締切における売上金額と回収金額とを一致させることができ、しかも確実な現金管理を行うことができるものが要望されている。
【０００８】
【発明が解決しようとする課題】
この発明は、複数の自動券売機からのデータを収集するものにおいて、複数の自動券売機に対する発売額回収締切における売上金額と回収金額とを一致させることができ、しかも確実な現金管理を行うことができるものが要望されているもので、複数の自動券売機からのデータを収集するものにおいて、複数の自動券売機に対する発売額回収締切における売上金額と回収金額とを一致させることができ、しかも確実な現金管理を行うことができるデータ集計システムを提供することを目的としている。
【０００９】
【課題を解決するための手段】
この発明のデータ集計システムは、複数の自動券売機と、これらの自動券売機と通信回線を介して接続され、各自動券売機のデータを収集するデータ集計機とを有するものにおいて、上記データ集計機が、操作表示部にて自動券売機の発売額回収締切指示を選択する第１の選択手段と、制御部により各自動券売機に対して発売額回収締切指示を送信する第１の送信手段と、この第１の送信手段による送信に応答して各自動券売機から供給される回収金額と予め記憶されている総売上金額とを比較する比較手段と、この比較手段による比較の結果、回収金額が不足している場合に、調整用の自動券売機に対して不足金額の追加回収の指示を送信する第２の送信手段と、この第２の送信手段の送信に応答して追加回収処理を終了する第１の終了手段と、上記比較手段による比較の結果、回収金額が多かった場合に、調整用の自動券売機に対して余分な回収金額の補給の指示を送信する第３の送信手段と、この第３の送信手段の送信に応答して補給処理を終了する第２の終了手段と、有し、上記各自動券売機が、上記データ集計機からの発売額回収締切指示により発売額回収締切処理を実行する第１の実行手段と、この第１の実行手段により実行された発売額回収締切処理による回収金額を上記データ集計機へ送信する第4の送信手段とを有し、上記調整用の自動券売機が、上記データ集計機からの不足金額の追加回収の指示により、追加回収する金額の払出しを実行する第２の実行手段と、この第２の実行手段により実行された不足金額の払出し金額を上記データ集計機へ送信する第5の送信手段と、上記データ集計機からの余分な回収金額の補給の指示により、補給金額の現金の投入により、補給を実行する第３の実行手段と、この第３の実行手段により実行された補給金額を上記データ集計機へ送信する第6の送信手段とを有するものである。
【００１２】
【発明の実施の形態】
以下、図面を参照してこの発明の実施形態を説明する。
【００１３】
図１はこの発明に係る駅務機器のデータ集計システムの概略構成を示すものである。このデータ集計システムは、駅単位の駅務機器のデータを集計するシステムとなっている。
【００１４】
このデータ集計システムは、駅務機器として、複数台の自動券売機１、…、複数台の定期券発行機２、…、複数台の自動改札機３、…とが設置されている。
【００１５】
これらの複数台の自動券売機１、…、複数台の定期券発行機２、…、複数台の自動改札機３、…は、通信回線を介してデータ集計機４に接続されている。これにより、各駅務機器からのデータがデータ集計機４にて収集されるようになっている。
【００１６】
データ集計機４には、全体を制御する制御部１１が設けられている。この制御部１１には、各駅務機器からのデータが記憶されるデータベース１２、通信回線を介して各駅務機器とのデータのやり取りを行う通信制御部１３、操作の指示を行うとともに案内表示が行われるタッチパネル内蔵の操作表示部１４が接続されている。
【００１７】
上記データベース１２には、各自動券売機１、…の券の売上金額が登録される売上テーブル１２ａ、締切処理時の金額が登録される締切テーブル１２ｂが設けられている。
【００１８】
自動券売機１は、券を発行する発券部２１、紙幣や硬貨の釣銭を収納する紙幣硬貨釣銭部２２、紙幣硬貨釣銭部２２からの硬貨や利用者等により投入口（図示しない）から投入された硬貨を各金種ごとに複数枚ずつ保留する一時保留部２３、一時保留部２３からあふれた硬貨を回収する回収皿２４、全体を制御するＣＰＵ２５等により構成されている。紙幣硬貨釣銭部２２では各金種ごとの紙幣を別々のカセットに収納し、利用者により投入された紙幣が収納されるとともに、収納されている紙幣が釣札用に払い出されるようになっている。また、一時保留部２３に保留されている硬貨が釣銭用に払い出されるようになっている。
【００１９】
次に、上記のような構成において、発売額回収締切処理を、図２に示すフローチャートを参照しつつ説明する。
【００２０】
すなわち、データ集計機４の操作表示部１４にて自動券売機１、…の発売額回収締切指示を選択する（ＳＴ１）。これにより、制御部１１は、各自動券売機１、…に対して発売額回収締切指示を送信する。（ＳＴ２）。
【００２１】
この結果、各自動券売機１、…は発売額回収締切指示で発売額回収締切を行い、係員により各自動券売機１、…現金を回収する（ＳＴ３）。たとえば、自動券売機１により、紙幣硬貨釣銭部２２の１万円札１枚と５千円札１枚と千円札１枚が回収され、回収皿２４に回収されている１０円硬貨８枚が回収される。
【００２２】
上記各自動券売機１、…の回収内容はデータ集計機４に送信される。
【００２３】
これにより、データ集計機４の制御部１１は、売上テーブル１２ａから読出した各自動券売機１、…の売上金額と、発売額回収締切処理による各自動券売機１、…の回収金額と、総売上金額と、総回収金額とを、図３に示すように、操作表示部１４にて表示する（締切状況確認画面）（ＳＴ４）。この際、総売上金額と、総回収金額とが一致している際に、制御部１１は、ステップ８に進む。
【００２４】
また、総売上金額と、総回収金額とが一致していない際に、制御部１１は、操作表示部１４にて回収補給ボタンを表示し、そのボタンの押下を案内する。
【００２５】
この案内により、回収補給ボタンが押し下げられ、回収補給が選択される（ＳＴ５）。
【００２６】
この回収補給の選択により、制御部１１は、操作表示部１４にて追加回収金額あるいは補給金額を案内表示する（ＳＴ６）。
【００２７】
この案内表示に基づいて、係員はメインの自動券売機１（調整号機）での追加回収あるいは補給を行う（ＳＴ７）。
【００２８】
この後、データ集計機４の操作表示部１４にて現金あり高確定を選択する（ＳＴ８）。操作表示部１４にて現金あり高確定であり高を入力する（ＳＴ９）。上記各自動券売機１、…から回収した現金額を入力する。
【００２９】
ついで、操作表示部１４にて現金あり高確定で確定ボタンを入力する（ＳＴ１０）。これにより、制御部１１は、図示しないプリンタにより各自動券売機１、…から回収した現金額からなる発売額回収締切表としての帳票がプリントアウトされる（ＳＴ１１）。
【００３０】
次に、上記ステップ６による追加回収補給処理を、図４に示すフローチャートを参照しつつ説明する。
【００３１】
すなわち、データ集計機４の制御部１１は、売上金額の合計金額と回収金額の合計金額とを比較し（ＳＴ２１）、売上金額の合計金額が回収金額の合計金額よりも多い場合（売上金額＞回収金額）、追加回収を判断し、操作表示部１４にて、図５に示すように、メインの自動券売機１（調整号機）での追加回収する金額を表示する（ＳＴ２２）。この表示に基づいて、追加回収の開始が選択された際に、制御部１１は、操作表示部１４にて、図６に示すように、追加回収する金種ごとの枚数の設定画面を表示する（ＳＴ２３）。この表示に基づいて、各金種ごとの枚数が設定され、追加回収の開始が選択された際に（ＳＴ２４）、制御部１１は、メインの自動券売機１（調整号機）に対して追加回収する金額（金種）を送信する。
【００３２】
これにより、メインの自動券売機１は、供給される追加回収する金額（金種）の硬貨を一時保留部２３から回収皿２４に回収する。この回収皿２４に回収された硬貨を係員が回収する（ＳＴ２５）。上記回収金額は自動券売機１からデータ集計機４の制御部１１に通知される。
【００３３】
この結果、制御部１１は、メインの自動券売機１にて追加回収する金額（金種）の回収が行われた際、追加回収補給処理を終了し、過不足があった場合（ＳＴ２６）、サブの自動券売機１（２番目の調整号機）に対して追加回収（過不足）する金額（金種）を送信する（ＳＴ２７）。
【００３４】
これにより、サブの自動券売機１は、供給される追加回収する金額（金種）の硬貨を一時保留部２３から回収皿２４に回収する。この回収皿２４に回収された硬貨を係員が回収する。上記回収金額は自動券売機１からデータ集計機４の制御部１１に通知される。
【００３５】
また、データ集計機４の制御部１１は、上記ステップ２１による比較の結果、売上金額の合計金額が回収金額の合計金額よりも少ない場合（売上金額＜回収金額）、補給（回収した現金の一部を戻す）を判断し、操作表示部１４にて、図７に示すように、メインの自動券売機１（調整号機）に補給する金額を表示する（ＳＴ３１）。この表示に基づいて、補給の開始が選択された際に（ＳＴ３２）、制御部１１は、メインの自動券売機１（調整号機）に対して補給する金額を送信する。
【００３６】
また、係員は上記補給する金額の表示に基づいて、メインの自動券売機１の硬貨投入口（図示しない）から、補給金額の硬貨（上記ステップ３にてあらかじめ回収した現金）を投入する（ＳＴ３３）。この投入された硬貨が一時保留部２３に保留される。この補給金額は、自動券売機１からデータ集計機４の制御部１１に通知される。
【００３７】
なお、上記補給金額に、紙幣の金額もある場合には、紙幣も投入される。
【００３８】
この結果、データ集計機４の制御部１１は、自動券売機１から補給金額により補給の完了を判断し、補給完了時に、操作表示部１４にて、補給完了を表示する（ＳＴ３４）。
【００３９】
なお、上記例では、追加回収の金種を指定したが、金額だけであっても良い。
上記例では、補給（回収した現金の一部を戻す）を判断した際に、回収し過ぎの金額をそのまま戻す場合について説明したが、これに限らず、補給（回収した現金の一部を戻す）を判断した際に、回収し過ぎの金額よりも大きな最低金額の紙幣を戻すことにより補給を行うようにしても良い。この場合、硬貨を戻さなくて済むため、硬貨の管理がし易いものとなる。
【００４０】
すなわち、上記図４に示すステップ３１からステップ３４を、図８に示す、ステップ４１からステップ４５に変更する。ステップ２１からステップ２７については変更がないため、説明を省略する。
【００４１】
すなわち、データ集計機４の制御部１１は、上記ステップ２１による比較の結果、売上金額の合計金額が回収金額の合計金額よりも少ない場合（売上金額＜回収金額）、補給（回収した現金の一部を戻す）を判断し、操作表示部１４にて、図９に示すように、メインの自動券売機１（調整号機）に補給する金額と実際に投入する紙幣の金額とを表示する（ＳＴ４１）。この表示に基づいて、補給の開始が選択された際に（ＳＴ４２）、制御部１１は、メインの自動券売機１（調整号機）に対して補給する金額を送信する。
【００４２】
また、係員は上記投入する紙幣の金額の表示に基づいて、メインの自動券売機１の紙幣投入口（図示しない）から、上記金額の紙幣（上記ステップ３にてあらかじめ回収した現金）を投入する（ＳＴ４３）。この投入された紙幣が紙幣硬貨釣銭部２２に収納される。自動券売機１は収納紙幣の金額から上記補給金額を差し引いた金額の硬貨を一時保留部２３から回収皿２４に回収する。この回収皿２４に回収された硬貨を係員が回収する（ＳＴ４４）。また、自動券売機１からデータ集計機４の制御部１１に補給の終了が通知される。
【００４３】
この結果、データ集計機４の制御部１１は、自動券売機１からの通知により補給の完了を判断し、操作表示部１４にて、補給完了を表示する（ＳＴ４５）。
【００４４】
上記したように、複数の自動券売機からのデータを収集するものにおいて、複数の自動券売機に対する発売額回収締切における売上金額と回収金額とを比較し、売上金額が回収金額よりも多い場合、その多い分をメインの自動券売機から追加回収し、回収金額が売上金額よりも多い場合、その多い分をメインの自動券売機に戻す（補給）するようにしたものである。
【００４５】
これにより、複数の自動券売機に対する発売額回収締切における売上金額と回収金額とを一致させることができ、しかも確実な現金管理を行うことができる。
【００４６】
【発明の効果】
以上詳述したように、この発明によれば、複数の自動券売機からのデータを収集するものにおいて、複数の自動券売機に対する発売額回収締切における売上金額と回収金額とを一致させることができ、しかも確実な現金管理を行うことができるデータ集計システムを提供できる。
【図面の簡単な説明】
【図１】この発明の実施形態に関わる駅務機器のデータ集計システムの概略構成を示す図。
【図２】発売額回収締切処理を説明するためのフローチャート。
【図３】締切状況確認画面を示す図。
【図４】追加回収補給処理を説明するためのフローチャート。
【図５】操作表示部の表示例を示す図。
【図６】操作表示部の表示例を示す図。
【図７】操作表示部の表示例を示す図。
【図８】追加回収補給処理を説明するためのフローチャート。
【図９】操作表示部の表示例を示す図。
【符号の説明】
１…自動券売機
４…デー収集機
１１…制御部
１２ａ…売上テーブル
１４…操作表示部
【図１】
0003657830.tif 000002
【図２】
0003657830.tif 000003
【図３】
0003657830.tif 000004
【図４】
0003657830.tif 000005
【図５】
0003657830.tif 000006
【図６】
0003657830.tif 000007
【図７】
0003657830.tif 000008
【図８】
0003657830.tif 000009
【図９】
0003657830.tif 000010